(57)【特許請求の範囲】
【請求項１】
合成樹脂製の容器本体と蓋体とからなり、蓋体には蓄冷材収容室を形成してあるとともに蓄冷材収容室を塞ぐことのできる補助蓋を組合わせてあり、補助蓋と蓋体間には外部から蓄冷材収容室へ通ずる通気路を形成してあり、上記通気路は、補助蓋を蓋体に嵌合させた状態において、補助蓋の外周面の一部が蓋体に接しないように切り欠かれた凹溝によって実現されており、また蓄冷材収容室は容器内部に連通するよう形成してあり、
補助蓋は蓋体に対してスライド可能に設けてあって、スライド位置によって蓋体から離脱不可能な状態と、蓋体から離脱可能な状態とを選択可能なスライド嵌合機構を補助蓋と蓋体の相互に有しており、
上記スライド嵌合機構として、蓋体には補助蓋が嵌合する嵌合孔を形成してあるとともに、スライド用段部を有し、嵌合孔周囲部の少なくとも一部に凹部および凸部を形成してあり、凸部は補助蓋の厚みより薄く上端にて突出してあり、補助蓋には周囲部の少なくとも一部に上記蓋体の凹部および凸部と対応して嵌合できる凸部および凹部を形成してあり、嵌合孔内でスライドする補助蓋のスライドの一方の停止位置において、補助蓋の凸部は蓋体の凸部の真下に位置するように上端より少し下がった位置に形成されており補助蓋の上方への離脱が阻止された離脱不可能な状態となり、嵌合孔内でスライドする補助蓋のスライドの他方の停止位置において、補助蓋の凸部および凹部と蓋体の凹部および凸部とがそれぞれ凹凸状に合致することになり補助蓋を上方へと蓋体から離脱可能な状態となることを特徴とする保冷容器。
【請求項２】
容器本体、蓋体および補助蓋が合成樹脂発泡体からなることを特徴とする請求項１に記載の保冷容器。
【発明の詳細な説明】
【０００１】
【発明の属する技術分野】
本発明は保冷容器に関し、菜の花等の花類やにんじん等の野菜類、その他保冷を要する収容物の予冷および出荷用として好適な保冷容器に関する。
【０００２】
【従来の技術と発明が解決しようとする課題】
一般に、菜の花等の花類や苺、にんじん、レタス、ホウレンソウ、ブロッコリー等の生野菜や果物類の遠方への出荷、輸送に際しては、これらの種類によっては断熱性のある出荷箱等の容器に収納した状態で真空冷却や差圧冷却が行われ、保冷状態に保持される。
上記用途に用いられる保冷容器としては、特公平８−１８６２５号公報、実公昭６３−６１６号公報等に記載された既知のものがある。
【０００３】
これらの保冷容器は、発泡樹脂製の容器本体と蓋体とを備え、本体と蓋体との接合面に通気路（開口部）を設けることで真空予冷時に冷気を容器内に導入することを特徴としている。
また、接合面に通気路を設けているので、実公昭６３−６１６号公報の「問題を解決するための手段」に記載されるように容器の積み変えを必要としないで使用することができるものである。
【０００４】
しかしながら、接合面に通気路を設けているが故に、真空予冷を終えて輸送、保管中に通気路を通して外気が侵入し、その結果収容物の温度上昇を招く、といった問題を解決することができなかった。
そこで、本発明においては、真空予冷を終えて輸送、保管中に通気路を通して外気が侵入しても、外気は蓄冷材収容室で冷却され、その後に容器内部へと侵入できるようにして、収容物の温度上昇を招来しないようにした保冷容器を提供できるように発明したものである。
【０００５】
【課題を解決するための手段】
上記の問題点を解決できるようにした本発明による保冷容器としては、合成樹脂製の容器本体と蓋体とからなり、蓋体には蓄冷材収容室を形成してあるとともに蓄冷材収容室を塞ぐことのできる補助蓋を組合わせてあり、補助蓋と蓋体間には外部から蓄冷材収容室へ通ずる通気路を形成してあり、上記通気路は、補助蓋を蓋体に嵌合させた状態において、補助蓋の外周面の一部が蓋体に接しないように切り欠かれた凹溝によって実現されており、また蓄冷材収容室は容器内部に連通するよう形成してあり、補助蓋は蓋体に対してスライド可能に設けてあって、スライド位置によって蓋体から離脱不可能な状態と、蓋体から離脱可能な状態とを選択可能なスライド嵌合機構を補助蓋と蓋体の相互に有しており、上記スライド嵌合機構として、蓋体には補助蓋が嵌合する嵌合孔を形成してあるとともに、スライド用段部を有し、嵌合孔周囲部の少なくとも一部に凹部および凸部を形成してあり、凸部は補助蓋の厚みより薄く上端にて突出してあり、補助蓋には周囲部の少なくとも一部に上記蓋体の凹部および凸部と対応して嵌合できる凸部および凹部を形成してあり、嵌合孔内でスライドする補助蓋のスライドの一方の停止位置において、補助蓋の凸部は蓋体の凸部の真下に位置するように上端より少し下がった位置に形成されており補助蓋の上方への離脱が阻止された離脱不可能な状態となり、嵌合孔内でスライドする補助蓋のスライドの他方の停止位置において、補助蓋の凸部および凹部と蓋体の凹部および凸部とがそれぞれ凹凸状に合致することになり補助蓋を上方へと蓋体から離脱可能な状態となることを特徴としている。
【０００６】
上記構成による本発明の保冷容器によると、真空予冷を終えて輸送、保管中に補助蓋と蓋体間の通気路から外気が侵入しても、外気は通気路と通ずる蓄冷材収容室で冷却されることになるので、冷却後の外気が容器内部に侵入することになるので、収容物の温度上昇を招くといった問題点は解決されることになる。
また、補助蓋は蓋体に対してスライド可能に設けてあって、スライド位置によって蓋体から離脱不可能な状態と、蓋体から離脱可能な状態とを選択可能であり、補助蓋をスライドさせることによって、補助蓋の嵌合または取外しを至極簡単に選択でき、補助蓋による使用を至便にできる長所がある。
【０００８】
さらに請求項１に従属している請求項２による本発明によると、容器本体、蓋体および補助蓋が合成樹脂発泡体からなることを特徴としており、保冷容器としての全体的な断熱効果を維持するのに好適なものが提供できることになる。
【０００９】
【発明の実施の形態】
次いで、本発明の実施態様について、図を参照しながら以下に説明する。
図１は、容器本体１０に蓋体２０を嵌合被着した状態の断面図を示しており、蓋体２０の上面に形成された嵌合孔２１には補助蓋３０が嵌合されている。そして蓋体２０と補助蓋３０との間には外部と通ずる通気路４０を形成しており、この通気路４０は蓋体２０に形成してある蓄冷材収容室２２と通ずるように形成されている。上記補助蓋３０は蓄冷材収容室２２を塞ぐことになる。上記蓄冷材収容室２２は下方側に開放部２３を適数形成して容器内部１１と連通するようになっている。図中５０は蓄冷材を示している。
【００１０】
上記例示による本発明の保冷容器によると、真空予冷を終えて輸送、保管中に補助蓋３０と蓋体２０間の通気路４０から外気が侵入しても、外気は通気路４０と通ずる蓄冷材収容室２２で冷却されることになるので、蓄冷材収容室２２の下方開放部２３から冷却後の外気が容器内部１１に侵入することになるので、収容物の温度上昇を招くといった問題点は解決されることになる。
次に蓋体２０に対する補助蓋３０の組合せに関して、相互の関連を分かり易くするために図示した図２の斜視図および図３，図４の拡大断面図、図５の補助蓋３０や、補助蓋３０のスライド位置を示す図６および図７の平面図に基づきながら説明する。
【００１１】
先ず蓋体２０の嵌合孔２１より下方にはスライド用段部２４が形成されてあり、嵌合孔２１に嵌合される補助蓋３０は上記スライド用段部２４に面接触してスライドを可能にしている。
そして、蓋体２０における嵌合孔２１の周囲部のうち対向し合う長辺側には凹部２５および凸部２６を交互に形成してあり、凸部２６は補助蓋３０の厚みより薄く形成されているとともに、嵌合孔２１の上端にて内方に突出している。補助蓋３０には対向し合う長辺側に蓋体２０の凹部２５および凸部２６と対応した凸部３５および凹部３６を形成してある。そして補助蓋３０の凸部３５は補助蓋３０のスライドによって蓋体２０の凸部２６の真下に位置できるように上端より少し下がった位置に形成されている。
【００１２】
従って、補助蓋３０の位置として、その凸部３５が蓋体２０の凸部２６の真下に位置している状態のスライド位置では、補助蓋３０を蓋体２０から離脱しようとしても凸部２６の真下に凸部３５が位置していて、補助蓋３０の上方への離脱が阻止された離脱不可能な状態となっていて（図３参照）、補助蓋３０の嵌合状態を固定できる。この状態の平面図は図６に示されている。
また、図６の状態から補助蓋３０を左方向へスライドさせて図７の状態にすると、蓋体２０の凹部２５および凸部２６と、補助蓋の凸部３５および凹部３６とがそれぞれ凹凸状に合致することになり（図４参照）、補助蓋３０を上方へと蓋体２０から離脱可能な状態となり、取外し可能となる。
【００１３】
このような補助蓋３０のスライド嵌合機構によって、補助蓋３０のスライド位置を変化させることによって、補助蓋３０を蓋体２０から離脱不可能な状態と、蓋体２０から離脱可能な状態とを自由に選択でき、蓋体２０への蓄冷材５０の出入も行い易くなる。特に、図示したごとく、指挿入用切欠き２７を嵌合孔２１の短辺側に形成しておくと、上記した補助蓋３０のスライド操作がし易くなり、至便である。
【００１４】
なお、断熱効果を維持するために、上記した容器本体１０，蓋体２０および補助蓋３０は合成樹脂発泡体にて形成するのが好ましいものであり、例えば、ポリスチレン樹脂およびスチレンを主体とする共重合体等のスチレン系樹脂発泡体、ポリオレフィン系樹脂発泡体、ポリ塩化ビニル樹脂発泡体その他の合成樹脂発泡体を用いることができ、特に前記発泡体の表面に非発泡の補強皮層を設けておくこともできる。
【００１５】
【発明の効果】
以上のように本発明によると以下のような効果を発揮することができる。
(1) 輸送、保管中に外気が侵入しても蓄冷材収容室で冷却した後に容器内部へ侵入することになるため、収容物の温度上昇のおそれは解消できた。
(2) 蓋体に対する補助蓋のスライド嵌合機構にて補助蓋の嵌合固定状態と、補助蓋を取外せる状態とを簡単に切替えることが可能となり、補助蓋の嵌合状態が安定するほか、補助蓋の着脱がし易くて蓄冷材を出し入れする上で至便となる。
【図面の簡単な説明】
【図１】全体の断面図である。
【図２】蓋体と補助蓋とを示す斜視図である。
【図３】補助蓋の離脱不可能な状態を示す拡大断面図である。
【図４】補助蓋の離脱可能な状態を示す拡大断面図である。
【図５】  補助蓋の底面図である。
【図６】補助蓋の離脱不可能な状態の平面図である。
【図７】補助蓋の離脱可能な状態の平面図である。
【符号の説明】
１０      容器本体
１１      容器内部
２０      蓋体
２１      嵌合孔
２２      蓄冷材収容室
２３      開放部
２５      凹部
２６      凸部
３０      補助蓋
３５      凸部
３６      凹部
４０      通気路
５０      蓄冷材
【図１】
0003874239.tif 000002
【図２】
0003874239.tif 000003
【図３】
0003874239.tif 000004
【図４】
0003874239.tif 000005
【図５】
0003874239.tif 000006
【図６】
0003874239.tif 000007
【図７】
0003874239.tif 000008